(57)【要約】【課題】普段着・外出着・勤務着としても着用できるようにワイシャツやブラウスなどと同じように体の中央を縦方向上下に並ぶボタンなどで留めるタイプの上衣であって、しかも、従来から着物を着用して動作を行うことが通例とされてきた作法である、着物の衿から少し出ている懐紙を手で取り出すなどの作法に則った動作と同様の動作を行うことができるように、懐のあたりに懐紙などを保持し、これを手で取り出すことができる位置にポケットを備える上衣を提供することにある。【解決手段】上前身頃と下前身頃とを体央対応位置にて縦方向上下に複数並ぶ留部材と被留部とで開閉自在とし、上前身頃の最も上側の被留部と最も下側の被留部との間の領域の上前身頃端部の一部を開口とし上前身頃の表側には重ね合わされない布で構成するポケットを有し、上前身頃の前記ポケットの開口の表領域には被留部を設けないようにした上衣を提供する。【選択図】図１
0003222676.tif 000002
【実用新案登録請求の範囲】
【請求項１】
上前身頃と下前身頃とを体央対応位置にて縦方向上下に複数並ぶ留部材と被留部とで開閉自在とし、
上前身頃の最も上側の被留部と最も下側の被留部との間の領域の上前身頃端部の一部を開口とし上前身頃の表側には重ね合わされない布で構成するポケットを有し、
上前身頃の前記ポケットの開口の表領域には被留部を設けないようにした上衣。
【請求項２】
前記ポケットを構成する上前身頃の表側には重ね合わされない布には隠被留部が設けられている請求項１に記載の上衣。
【請求項３】
前記隠被留部とそれ以外の被留部とは複数が略等間隔に配置されている請求項２に記載の上衣。
【請求項４】
前記ポケットの下側縁は、開口端部から水平ないし斜め下方に設けられる請求項１から請求項３のいずれか一に記載の上衣。
【請求項５】
前身頃と後身頃の境界領域の腰対応位置にロール状布を係止するためのループを設けた請求項１から請求項４のいずれか一に記載の上衣。
【考案の詳細な説明】
【技術分野】
【０００１】
本考案は、上衣に関し、特に、懐に当たる部分に茶道で用いる懐紙を入れることなどを可能にしたポケットを備える上衣に関する。
【背景技術】
【０００２】
茶道には、振る舞われた菓子を自ら持参した懐紙に取って食べるなどの特有の作法がある。このため、茶会やその稽古に臨む者は、予め自身の衣服の懐（衣服の胸の辺りの内側の部分）に懐紙を入れておき茶会の席上でこれを懐から出し入れすることができるように、着物や、着物の懐部分を模した構造を有する上衣型の茶道用稽古着を着用して臨むのが通例である。
【０００３】
非特許文献１には、洋服の上から着物と同様に衿を合わせるようにして羽織ることで懐に懐紙を出し入れすることを可能にしたベスト型の茶道用稽古着が開示されている（非特許文献１参照）。
【０００４】
また、特許文献１には、主として茶道時に着用し、衿辺縁に開口する懐紙を入れるためのポケットが設けられた作務衣が開示されている（特許文献１参照）。
【先行技術文献】
【非特許文献】
【０００５】
【非特許文献１】茶道のお稽古着について（Ｃｒｅａｔｅ  Ｓｔｕｄｉｏ  Ｋｕｃｈｉｂｕｅ「クチブエｎｅｔアトリエ」所収，ＵＲＬ：ｈｔｔｐ：／／ｇｏｏｄｓ．ｋｕｃｈｉｂｕｅ．ｊｐ／？ｅｉｄ＝１６８）
【特許文献】
【０００６】
【特許文献１】特開２００２−１９４６０７号公報
【考案の概要】
【考案が解決しようとする課題】
【０００７】
茶会やその稽古に臨む場合、着物は着付けが面倒であるから、懐から懐紙を出し入れする必要があるというだけでこれを着用するのは煩わしい。この点、上衣型の茶道用稽古着の場合には、着用の煩わしさは着物に比べ少ない。しかし、非特許部文献１の稽古着にも見られるように、これらは専ら茶道の作法を練習するための機能に着目してデザインされたものであるため、自宅や外出先あるいは勤務先から稽古場所にこれを着用していくのには適さない。この場合、自宅や外出先あるいは勤務先から稽古着を持参して行き、茶会の会場などで着替えることとなろうが、荷物になる上、着替えの煩わしさがなくなるわけではない。
【０００８】
そこで、普段着・外出着・勤務着としても着用でき、しかもそのまま茶会やその稽古に臨むことができるような上衣があれば、荷物にならず、着替えの必要もなくなるので便利である。
【０００９】
この点、特許文献１に開示された作務衣も、主として茶道時に着用するほか、普段着としても使用できるものであるとされている。しかしながら、作務衣とは、もともと禅宗の僧侶が掃除等の労働時に着用する作業着であったと言われており、上下の衿を合わせて紐などで留めるだけの簡単な構造のものであり、同文献で開示されている作務衣もこれと同様の構造のものである。しかし、多くの場合、外出着や勤務着には、ワイシャツやブラウス、スーツなど体の中央を縦方向上下に並ぶボタンなどで留めるタイプの上衣が着用されるであろうと考えられることから、特許文献１に開示された作務衣のような衿を合わせて紐で留めるタイプの上衣は外出着や勤務着には適さないことが多いと考えられる。さらに、そもそもの目的である茶道時における着用についても、近年は着物ではなく洋装の普段着や外出着で出席することも多くなっていると言われているものの、作務衣のような作業着で本番の茶会に出席することは憚られる場合も多いと思われる。
【００１０】
そこで、普段着・外出着・勤務着としても着用でき、しかもそのまま茶会やその稽古に出席できるような上衣に求められる要素としては、多くの者が普段着・外出着・勤務着として着用しやすいようなタイプの上衣、即ち、ワイシャツやブラウスなどと同様に体の中央を縦方向上下に並ぶボタンなどで留めるタイプの上衣であって、しかも、着物の衿から少し出ている懐紙を手で取り出すという茶道の作法に則った動作と同様の動作を行うことができるように、懐のあたりに懐紙を保持できるようにポケットを設けたものであることが挙げられる。
【００１１】
また、茶道以外についても、従来から着物を着用して動作を行うことが通例とされてきた作法など（例えば、華道、礼法、日本舞踊などが考えられる）においては、懐が懐紙や扇子等を出し入れするための場所として用いられてきたと考えられることから、茶道の場合と同様に、普段着・外出着・勤務着としても着用しやすいものであって、しかもそのまま本番やその稽古にも着用できるような上衣があれば便利であると考えられる。
【００１２】
本考案は、以上のような点に着目したものである。即ち、本考案が解決すべき課題は、普段着・外出着・勤務着としても着用できるようにワイシャツやブラウスなどと同じように体の中央を縦方向上下に並ぶボタンなどで留めるタイプの上衣であって、しかも、従来から着物を着用して動作を行うことが通例とされてきた作法である、着物の衿から少し出ている懐紙を手で取り出すなどの作法に則った動作と同様の動作を行うことができるように、懐のあたりに懐紙などを保持し、これを手で取り出すことができる位置にポケットを備える上衣を提供することにある。
【課題を解決するための手段】
【００１３】
以上の課題を解決するため、本考案のうち第一の考案は、上前身頃と下前身頃とを体央対応位置にて縦方向上下に複数並ぶ留部材と被留部とで開閉自在とし、上前身頃の最も上側の被留部と最も下側の被留部との間の領域の上前身頃端部の一部を開口とし上前身頃の表側には重ね合わされない布で構成するポケットを有し、上前身頃の前記ポケットの開口の表領域には被留部を設けないようにした上衣を提供する。
【００１４】
また、第二の考案は、第一の考案を基礎として、前記ポケットを構成する上前身頃の表側には重ね合わされない布には隠被留部が設けられている上衣を提供する。
【００１５】
また、第三の考案は、第二の考案を基礎として、前記隠被留部とそれ以外の被留部とは複数が略等間隔に配置されている上衣を提供する。
【００１６】
また、第四の考案は、第一から第三のいずれか一の考案を基礎として、前前記ポケットの下側縁は、開口端部から水平ないし斜め下方に設けられる上衣を提供する。
【００１７】
また、第五の考案は、第一から第四のいずれか一の考案を基礎として、前身頃と後身頃の境界領域の腰対応位置にロール状布を係止するためのループを設けた上衣を提供する。
【考案の効果】
【００１８】
本考案によれば、普段着・外出着・勤務着としても着用できるようにシャツやブラウスなどと同じように体の中央を縦方向上下に並ぶボタンなどで留めるタイプの上衣であって、しかも、従来から着物を着用して動作を行うことが通例とされてきた作法である、着物の衿から少し出ている懐紙を手で取り出すなどの作法に則った動作と同様の動作を行うことができるように、懐のあたりに懐紙などを保持し、これを手で取り出すことができる位置にポケットを備える上衣を提供することが可能となる。
【図面の簡単な説明】
【００１９】
【図１】実施例１の上衣の構成の一例を示す図
【図２】実施例１におけるポケットの構成の一例を示す図
【図３】上前身頃の表領域に被留部を設けた構成の一例を示す参考図
【図４】ループの使用状態の一例を示す図
【図５】実施例２における隠被留部の構成の一例を示す図
【図６】実施例３における隠被留部とそれ以外の被留部との間隔についての構成の一例を示す図
【図７】実施例４におけるポケットの開口の長さの一例を示す図
【図８】上前身頃の部分を袋状部分の一部として利用することなく形成されるポケットの構成の一例を示す概念図
【符号の説明】
【００２０】
０１００  上衣
０１１０  上前身頃
０１１１  開口
０１２０  下前身頃
０１３１〜０１３５  留部材
０１４１〜０１４５  被留部
０１５０  上前身頃の表側には重ね合わされない布
０１６０  ポケット
０１７０  ループ
０５４６  隠被留部
【考案を実施するための形態】
【００２１】
以下に本考案の実施例を説明する。実施例と請求項の相互の関係は、以下のとおりである。実施例１は、主に請求項１、請求項５などに関する、実施例２は、主に請求項２などに対応する。実施例３は、主に請求項３などに対応する。実施例４は、主に請求項４などに対応する。なお、本考案はこれらの実施例に何ら限定されるものではなく、その要旨を逸脱しない範囲内において、様々な態様で実施し得る。
【実施例１】
【００２２】
＜概要＞
本実施例の上衣は、通常のワイシャツなどと同様に、上前身頃と下前身頃とを体央に対応する位置で縦方向上下に複数並ぶ留部材（ボタンなど）と被留部（ボタンホールなど）とで開閉自在としたタイプの上衣であり、その特徴は、上前身頃の端部の一部を開口として上前身頃の内側に形成されるポケットを有するとともに、上前身頃のポケットの開口の表領域には被留部を設けないようにした点にある。また、本実施例の上衣は、さらに、前身頃と後身頃の境界領域の腰に対応する位置にロール状の布を係止するためのループを設けたものであってもよい。
【００２３】
＜構成＞
（全般）
図１に、本実施例の上衣の構成の一例を示す。本図に示すように、本実施例の上衣０１００は、上前身頃０１１０と下前身頃０１２０とを体央対応位置にて縦方向上下に複数並ぶ留部材０１３１〜０１３５と被留部０１４１〜０１４５とで開閉自在とするとともに、上前身頃の少なくとも最も上側の被留部０１４１と最も下側の被留部０１４５との間の領域の上前身頃端部を開口０１１１（長さＮで示す範囲）とし、上前身頃の表側には重ね合わされない布０１５０で構成するポケット０１６０を有するものであり、かつ、上前身頃の前記ポケットの開口の表領域には被留部を設けないようにしたものである。
【００２４】
本考案における上衣には、体の中央を縦方向上下に並ぶボタンなどで開閉自在としたタイプのものが広く含まれ、シャツ、ワイシャツ、ポロシャツ、ブラウス、スーツ、ジャケット、ジャンパー、カーディガン、学生服等、その種類や名称を問わない。このように、本考案における上衣は、ワイシャツのように前身頃全体を開閉自在にしたタイプのものであってもよいし、ポロシャツのように前身頃の略上半分だけを開閉自在にしたタイプのものであってもよい。また、上衣の生地の素材や縫製のしかたにも特に限定はない。生地の素材としては、例えばリネン素材、ジャージー素材、シルク素材、キャンバス素材、ライクラ素材、コットン素材、ベルベット素材、レース素材、及びこれらの複合などが考えられる。留部材の素材も特に限定されない。プラスティック素材、動物の骨素材、植物系素材、貝素材、角素材、金属素材、石素材などが考えられる。
【００２５】
（上前身頃、下前身頃）
「上前身頃（うわまえみごろ）」とは、体の中央を縦方向上下に並ぶボタンなどで開閉自在としたタイプの上衣において胴体の前側（胸・腹）を覆う部分である左右２枚の前身頃のうち、留部材、被留部で留めた時に上側（外側）に位置する部分をいい、「下前身頃（したまえみごろ）」とは、同じく下側（内側）に位置する部分をいう。
【００２６】
（留部材、被留部）
「留部材」、「被留部」は、一対をなして体央対応位置にておいて上前身頃と下前身頃を開閉自在に係止するための部材をいう。本考案においては、便宜上、雄部に相当する方の部材を「留部材」、雌部材に相当する方の手段を「被留部」と称している。本考案においては、留部材と被留部が体央対応位置において縦方向上下に複数並んで備えられている点に特徴があるところ、かかる留部材の代表例はボタンであり、被留部の代表例はボタンホールである。ただし、これらに限られるものではなく、体央対応位置にて縦方向上下に複数並んで備えられ、一対をなして上前身頃と下前身頃を係止する機能を果たすものであれば広く含まれ、例えば、留部材がダッフルコートのトグルであり、被留部が同じくループであるといったものでもよい。
【００２７】
（ポケット）
本考案に係る上衣は「ポケット」を備えるところ、本考案の最大の特徴は、当該ポケットが、（１）上前身頃の最も上側の被留部と最も下側の被留部との間の領域の上前身頃端部の一部を開口とし、（２）上前身頃の表側には重ね合わされない布で構成され、かつ、（３）上前身頃の前記ポケットの開口の表領域には被留部を設けないようにした点にある。以下、これらの特徴について順次詳細に説明する。
【００２８】
（ポケットの特徴（１）：上前身頃の最も上側の被留部と最も下側の被留部との間の領域の上前身頃端部の一部を開口としたこと）
【００２９】
本実施例におけるポケットの特徴は、まず、上前身頃の最も上側の被留部と最も下側の被留部との間の領域の上前身頃端部の一部を開口としたことにある。図１に示した例では、被留部はボタンホールであり、ポケットが上前身頃の５個のボタンホールのうち、上から２番目のボタンホールと３番目のボタンホールの間の上前身頃端部を開口としたものである。なお、「上前身頃端部」とは、上前身頃の最も体央に近い側の端部をいう。
【００３０】
開口の長さは、ポケットの袋状部分に収納したものを手で無理なく取り出すことができる寸法であることが望ましいとの観点から適切に設計される。例えば、茶道に用いる懐紙の大きさは、一般に男性用が１７．５ｃｍ×２０．６ｃｍ程度、女性用が１４．５ｃｍ×１７．５ｃｍ程度であるとされており、長辺のほぼ中央どうしを結ぶ線を折り線として二つ折りにした状態で懐にしまっておき、取り出して用いる。そうすると、開口の長さは、例えば男性用の上衣と女性用の上衣を区別したうえで、男性用の場合少なくとも１０．３ｃｍ程度、女性用の場合少なくとも８．８ｃｍ程度の長さを要し、これに１割から５割程度の余裕を持たせて男性用１１ｃｍから１５ｃｍ程度、女性用９ｃｍから１３ｃｍ程度とすることが考えられる。また、より好適には、男性用が１２．５ｃｍ以上１３．５ｃｍ以下、女性用が１０．５ｃｍ以上１１．５ｃｍ以下とすることが考えられる。このほか、ポケットに収納する物は懐紙に限られないことから、収納する物の収納時の大きさを考慮し、最大の寸法に対応できるように開口の長さを設計してもよいし、上衣を用途別にきめ細かく区別してそれぞれの用途に適するように開口の長さを設計してもよい。なお、ポケットの内部を構成する布の素材は懐紙のすべりを良くするためにサテンや絹のような素材であるとなお好ましい。
【００３１】
ポケットの袋状部分の方向に特に限定はないが、好適には、ポケットの下側縁が開口端部から水平ないし斜め下方に設けられるもの、換言すればポケットの袋状部分の方向が水平方向ないし斜め下向きであるものが望ましい。ポケットの下側縁が開口端部から斜め下方に設けられるようにした場合、ポケットの袋状部分が体央の縦方向に対して斜め下方向に向かって形成されるため、袋状部分の横幅（図１でＭで示す長さ）の好適な長さが上記の男性用１１ｃｍから１５ｃｍ程度、女性用９ｃｍから１３ｃｍ程度などの長さになる。そこで、この袋状部分の方向に対して斜めに形成される開口の長さＮは、それよりもさらに長く形成される。かかる構成や具体的な寸法の一例については、別の実施例にて後述する。
【００３２】
（ポケットの特徴（２）：上前身頃の表側には重ね合わされない布で構成されること）
本実施例のポケットは、上前身頃の表側には重ね合わされない布で構成される。「上前身頃の表側には重ね合わされない」とは、当該布が、上前身頃の裏側に設けられるという意味であり、平たく言えば、ポケットの袋状部分が上衣の内側に配置されるということである。
【００３３】
図２は、本実施例におけるポケットの構成の一例（開口端縁から水平に設けられている例）を示す図であって、ポケットが上前身頃の表側には重ね合わされない布で構成されている状態の一例を示す。本図の例は、１枚の布が、上前身頃の裏側に直接縫い付けられている例である。本図の（ａ）は、上前身頃の表側から見た図であり、破線０２５１は上前身頃の表側に重ね合わされない布（図には現れない）との縫い合わせ位置を示し、この破線に囲まれた範囲がポケットの袋状部分を示す。（ｂ）は、上前身頃の裏側から見た図であり、上前身頃０２１０の裏側に上前身頃の表側には重ね合わされない布０２５０が縫い付けられている状態を示す。（ｃ）は、（ａ）のＸ−Ｘ線端面図であり、本図の右側が上前身頃の表側、左側が同じく裏側を示す。この例の場合、（ｃ）に現れているように、上前身頃の表側には重ね合わされない布０２５０とこれに対応する位置の上前身頃の部分０２１０とでポケットの袋状部分０２６１が形成される。
【００３４】
あるいは本図の例と異なり、ポケットが、上前身頃の部分を袋状部分の一部として利用することなく形成されるものであってもよい。図８は、このようなポケットの構成の一例を示す概念図であり、図２（ｃ）などと同様にポケットの開口部分の端面図で示したものである。このうち、図８（ａ）は、袋状に形成された布０８５０の開口部分の一部を上前身頃０８１０の裏側に縫い付けたものである。また、図８（ｂ）は、上前身頃０８１０の内側に裏地０８２２を備えた上で、上前身頃と裏地の間において、布０８５０を裏地に縫い付ける形でポケットを形成したものであり、あたかも通常のスーツなどの内ポケットと同様の構成のものである。ただし当然ながら、着物の作法と同様に着物の衿から少し出ている懐紙を手で取り出すことなどができる位置になるように上前身頃端部に開口が現れる点で、通常のスーツなどの内ポケットとは大きく異なるものである。
【００３５】
図８（ｂ）に示した構成は、縫い目が上前身頃の表側に現れず、内側にポケットが備えられていることが見た目にはわからないため、着物の懐から物を取り出すのと同様の外観で動作を行うことができるというメリットがある。かかる観点からは、図２に示したものと同様に１枚の布を上前身頃の裏側に備える構成や図８（ａ）に示したような袋状に形成された布を上前身頃の裏側に備える構成においても、これを上前身頃に縫い付けるのではなく、接着剤等を用いて上前身頃の裏側に貼り付けるようにすれば、やはり同様の効果を奏することができる。
【００３６】
（ポケットの特徴（３）：上前身頃の前記ポケットの開口の表領域には被留部を設けないようにしたこと）
本実施例のポケットは、その開口の表領域には被留部を設けないようにしたものである。この構成の目的は、以下のとおりである。即ち、開口の表領域に被留部を設け、留部材と当該被留部とで上前身頃と下前身頃を係止することができる構造とした場合でも、茶道などの作法時には、ポケットに収納した物を容易に取り出すことができるように、開口の表領域の被留部と留部材を係止しない状態で着用することがほとんどであると考えられる。そうすると、開口の表領域に被留部を設けた場合、あたかも通常のワイシャツの中間のボタンだけを留めずに着用しているのと同様の外観となり、だらしなく見えてしまうおそれがある。そこで、開口の表領域に被留部を設けない構成の目的は、かかる外観を呈するおそれを防ぐことにある。
【００３７】
図２に示したポケットも、開口の表領域に被留部を設けないようにした構成を有するものである。この場合、図２（ｃ）に示すように、ポケットの開口の中間部に収納物の取出しを妨げるものがないので、開口を一杯に使って収納物を取り出すことが可能となる。
【００３８】
図３は、比較の参考のため、上前身頃の表領域に被留部を設けた構成の一例を示したものである。本図の例では、開口の中央に被留部であるボタンホール０３４０が１個備えられており、これに対応して、下前身頃（図には現れない）の対応位置に留部材であるボタン０３３０が備えられている。本図の（ａ）は、上前身頃０３１０の表側から見た図であり、破線０３５１で示す部分がポケットの縫い合わせ位置を示す。（ｂ）は、上前身頃の裏側から見た図であり、煩雑を避けるため下前身頃の図示を省略し、上前身頃の表側には重ね合わされない布０３５０が見えている状態で示したものである。（ｃ）は、（ａ）のＸ−Ｘ線端面図であり、本図の右側が上前身頃の表側、左側が同じく裏側を示す。また、（ｃ）においては、下前身頃０３２０が図示されている（なお、黒で示した部分０３３１は留部材を下前身頃に取り付けるための糸などの取付部材である）。この例の場合、（ｃ）に示すように、下前身頃に設けられる留部材０３３０並びに上前身頃０３１０の被留部０３４０（薄墨で示す範囲）及び上前身頃の表側には重ね合わされない布０３５０の被留部０３４１（薄墨で示す範囲）を用いて上下両前身頃を係止すれば、上述のようなだらしなく見えるという外観を呈することはない。ただし、このように係止した場合、ボタンが邪魔になって開口を一杯に使って収納物を取り出すことが妨げられてしまうという問題が生じる。そこで、本図のような構成によって上下両前身頃の開口端部を係止することができる構造の上衣を着用する場合であっても、実際には上下両前身頃の開口端部を係止しない状態で着用することがほとんどであると考えられる。そこで、この場合には、ポケットの開口位置に係止に用いられていない状態の被留部が現れてしまい、上述のようにだらしなく見えてしまうという問題が生じるわけである。
【００３９】
（ループ）
本実施例の上衣は、さらに、前身頃と後身頃の境界領域の腰対応位置にロール状布を係止するためのループを設けたものであってもよい。
【００４０】
図１においても、上衣の前身頃０１１０と後身頃（図には現れない）の境界領域の腰対応位置にロール状布を係止するためのループ０１７０が設けられている例を示した。
【００４１】
ロール状布の例として主に想定されているものは、茶道において茶器の埃を払ったり茶器を載せたりするためなどに用いられる袱紗（ふくさ）であるが、このほかにも、従来から着物を着用して動作を行うことが通例とされてきた作法などにおいて着物の帯に挟んで用いられる布が広くロール状布に該当する。
【００４２】
ループの具体的形状には限定はなく、例えば、図１に示したようなはじめからループが縫い付けなどにより形成されており、単にそこにロール状布を通して係止するようにしたものであってもよいし、先端に着脱自在の留手段を設けたベルト状の部材にロール状布を巻き付け、留部材を被留手段に装着して係止するようにしたものであってもよい。
【００４３】
図４は、ループの使用状態の一例を示す図でって、ロール状に丸めた袱紗０４８０をループ０４７０に通して係止した状態を示したものである。なお、「ロール状」とは、ループに通すことができるように細く丸めたり折り畳んだりしたといった程度の意味であり、必ずしも渦巻き状に巻いたものに限定されるものではない。
【００４４】
＜効果＞
本実施例の考案によれば、普段着・外出着・勤務着としても着用できるようにシャツやブラウスなどと同じように体の中央を縦方向上下に並ぶボタンなどで留めるタイプの上衣であって、しかも、従来から着物を着用して動作を行うことが通例とされてきた作法である、着物の衿から少し出ている懐紙を手で取り出すなどの作法に則った動作と同様の動作を行うことができるように、懐のあたりに懐紙などを保持し、これを手で取り出すことができる位置にポケットを備える上衣を提供することが可能となる。
【実施例２】
【００４５】
＜概要＞
本実施例の上衣は、ポケットを構成する上前身頃の表側でない側に隠被留部が設けられている点にさらなる特徴を有するものである。
【００４６】
＜構成＞
（全般）
本実施例の上衣は、実施例１で述べた構成に加え、ポケットを構成する上前身頃の表側でない側に隠被留部が設けられているものである。以下、隠被留部の構成について説明する。その余の構成についての説明は、実施例１において説明したところと同様であるから省略する。
【００４７】
（隠被留部）
「隠被留部」とは、被留部のうち、ポケットを構成する上前身頃の表側でない側に設けられるものをいう。即ち、隠被留部は、上前身頃の表側に現れない裏側に隠れた被留部である。
【００４８】
図５は、本実施例における隠被留部の構成の一例を示す図である。本図の（ａ）は、上前身頃の表側から見た図である。破線０５５１は上前身頃の表側に重ね合わされない布（図には現れない）との縫い合わせ位置を示し、この破線に囲まれた範囲がポケットの袋状部分を示す。上前身頃の表側には重ね合わされない布の開口端部０５０１の近傍に被留部０５４６が設けられる。本図では、留部材０５３６とともに被留部が上前身頃と下前身頃（図には現れない）を係止した状態を示す。（ｂ）は、上前身頃の裏側から見た図であり、煩雑を避けるため下前身頃の図示を省略し、上前身頃の表側には重ね合わされない布０５５０が見えている状態で示したものである。（ｃ）は、（ａ）のＸ−Ｘ線端面図であり、本図の右側が上前身頃の表側、左側が同じく裏側を示す。また、（ｃ）においては、下前身頃０５２０が図示されている（なお、黒で示した部分０５３１は留部材を下前身頃に取り付けるための糸などの取付部材である）。この例の場合、（ｃ）に示すように、隠被留部０５４６（薄墨で示す範囲）は、ポケットを構成する布０５５０に対応する上前身頃の部分０５１０の表側でない側、即ち裏側に設けられる布である、ポケットを構成する上前身頃の表側には重ね合わされない布０５５０に備えられる。なお、本図では、理解を容易にするため、下前身頃０５２０に設けられる隠留部材０５３６によって、上前身頃０５１０と下前身頃０５２０が係止されている状態を示した。
【００４９】
かかる隠被留部を設ける目的は以下のとおりである。即ち、ポケットの開口の長さは、前出した例における１１ｃｍから１５ｃｍ（男性用）ないし９ｃｍから１３ｃｍ（女性用）程度といったように、懐紙などの収容物を容易に取り出すことができる長さであることが求められる。そして、開口の表領域には被留部が設けられないように構成されることから、開口の上端付近と下端付近に被留部を設けた場合であっても、その間隔は上と同様程度の間隔となる。一方、通常のワイシャツなどのボタン間隔は、７〜９ｃｍ程度のものが多く、これははだけにくいことなどを考慮して設計されたものであると考えられる。そうすると、本考案に係る上衣の開口を直近で挟む被留部間の配置間隔は、何らの措置も講じなければ胸の部分がはだけやすい構造にならざるを得ない。そこで、収納物を容易に取り出すことができる開口の長さを確保した上で、なおかつ胸の部分がはだけにくいようにすることができれば、より好適な上衣を提供することができる。かかる目的を達成できる構造として、ポケットを構成する上前身頃の表側でない側に隠被留部を設けたものが本実施例の上衣である。
【００５０】
即ち、かかる構成によれば、上前身頃の表側でない側に設けられる隠れ被留部は、これと対をなす下前身頃の対応する位置に設けられる留部材とともにポケット開口をその中間位置において係止することができる。このため、上前身頃と下前身頃とは、開口の上端付近に設けられた被留部・留部材、開口の下端付近に設けられた被留部・留部材及びこの開口の中間に設けられた隠被留部・留部材の三カ所でほぼ等間隔で係止されることとなり、例えば、開口の長さが約１５ｃｍである場合でも、これを約７、８ｃｍ程度の間隔で係止することができ、通常のワイシャツなどと同程度に胸がはだけないようにすることができる。なお前記ポケットを構成する上前身頃の表側には重ね合わされない布と、上前身頃の裏面側とが面ファスナー等によって閉じられるように構成してもよい。ポケットの上前身頃が風などによってひらひらすることを防止でき、かつ、ポケットからの物の取り出し動作に影響が少ない。
【００５１】
一方、開口の中間位置での係止は、あくまで上前身頃の内側に備えられた布とした前身頃との間で行われる形となるので、物の収納空間である上前身頃の内側に備えられた布と上前身頃との間は、依然として開口から収納物を容易に取り出すことができる状態を確保することができる。
【００５２】
なお、上例では隠被留部の数が１個である例で説明したが、開口の長さなどに応じて複数の隠被留部を略等間隔などに設けてもよい。
【００５３】
＜効果＞
本実施例の考案によれば、ポケットを構成する上前身頃の表側でない側に隠被留部を設けることで、ポケットに収納した物を容易に取り出すことができるという特性を損なわずに、なおかつ胸の部分がはだけにくいようにすることが可能となる。
【実施例３】
【００５４】
＜概要＞
本実施例の上衣は、隠被留部とそれ以外の被留部とは複数が略等間隔に配置されている点にさらなる特徴を有するものである。
【００５５】
＜構成＞
（全般）
本実施例の上衣は、実施例のポケットは、実施例２で述べた構成に加え、隠被留部とそれ以外の被留部とは複数が略等間隔に配置されているものである。以下、隠被留部とそれ以外の被留部との間隔に係る構成について説明する。その余の構成についての説明は、実施例１及び２において説明したところと同様であるから省略する。
【００５６】
（隠被留部とそれ以外の被留部との間隔）
本実施例において隠被留部とそれ以外の被留部とは複数が略等間隔に配置される。本実施例において「略等間隔」とは、最小の間隔の最大の間隔に対する比が概ね９割以上であるものをいう。このように被留部（隠被留部を含む）の間隔を略等間隔とする目的は、本考案にかかる上衣が普段着・外出着・勤務着としても着用できるようにしたものであるところ、通常の普段着・外出着・勤務着として着用されるワイシャツ、ブラウス等のボタン間隔が通例略等間隔であることに照らして、これらとの違和感がなく着用しやすいものを提供することにある。
【００５７】
なお、通常のワイシャツ等には、最も上側のボタンホールと上から２番目のボタンホールの間隔だけを他の間隔よりも相当程度短くしたものがよく見られる。これはネクタイを締めずに第１ボタンを外して着用する場合に第２ボタンの位置が低すぎると胸が空きすぎてだらしなく見えることを防ぐために第２ボタンの位置を高くしたことに伴うものであるとされる。そこで、本実施例の上衣においてもこれと同様に最も上側のボタンホールと上から２番目のボタンホールの間隔だけを他の間隔よりも相当程度短くしたものも考えられるところ、これはまさに普段着・外出着・勤務着としても着用できるようにするという本考案に係る上衣の目的に沿うものであるから、「略等間隔」には、このように本考案の目的に沿った形で一部の被留部間の間隔が他と異なっているものも含まれる。
【００５８】
図６は、本実施例における隠被留部とそれ以外の被留部との間隔についての構成の一例を示す図である。本図の例では、下前身頃に配置される６個の留部材であるボタンに対応して、上前身頃に６個の被留部であるボタンホール０６４１〜０６４６（以下、上から順に第１ボタンホール、第２ボタンホールなどと称する。）が配置されている。このうち、3第３ボタンホール０６４３である被留部は隠被留部であり、上前身頃の表側でない側に配置されている。その余の５個のボタンホール０６４１、０６４２、０６４４、０６４５、０６４６である被留部は、上前身頃の表側に配置されている。
【００５９】
本図における被留部（ボタンホール）の間隔Ｌ１〜Ｌ５のうち、Ｌ２〜Ｌ５の具体的寸法は、それぞれ約１０ｃｍの等間隔である。ただし、本図の例では、第１ボタンホール０６４１と第２ボタンホールの間隔Ｌ１のみ約２ｃｍとなっているところ、これは上述した理由により通常のワイシャツ等と同様のデザインにしたものであり、本図に示すものも本実施例の隠被留部とそれ以外の被留部とは複数が略等間隔に配置されるものに該当するものであることに変わりはない。
【００６０】
＜効果＞
本実施例の考案によれば、通常の普段着・外出着・勤務着のボタンホール配置などと同様の被留部の配置とすることで、普段着・外出着・勤務着としてより着用しやすい上衣を提供することが可能となる。
【実施例４】
【００６１】
＜概要＞
本実施例の上衣は、ポケットの下側縁が開口端部から水平ないし斜め下方に設けられる点にさらなる特徴を有するものである。
【００６２】
＜構成＞
（全般）
本実施例の上衣は、実施例１から３のいずれか一の構成に加え、ポケットの下側縁が開口端部から水平ないし斜め下方に設けられるものである。以下、かかるポケットの下側縁に係る構成について説明する。その余の構成についての説明は、実施例１から３までにおいて説明したところと同様であるから省略する。
【００６３】
（ポケットの下側縁）
（ポケットの下側縁が開口端部から水平に設けられる構成）
本実施例の上衣におけるポケットの下側縁の一つの構成は、開口端部から水平に設けられるものである。前出の図２や図５に示したものも、このような構成の一例を示したものである。「開口端部」とは、上前身頃の端部のうち、開口が占めている端部部分（図２、図３、図５において概ね破線長円０２０１、０３０１、０５０１で示す範囲）をいう）。また、「下側縁」とは、ポケットの袋状部分の下側（底）を形成する端縁部をいう。下側縁が開口端部から水平に設けられる構成の場合、ポケットの袋状部分は水平方向に形成される。そこで、ポケットの袋状部分に収納されたものを取り出す際には、これを開口からほぼ水平方向に取り出すことになる。例えば茶道においては、懐紙を着物の衿から少し出した状態で懐に水平に収納することが多いので、これを手で取り出す際には、着物の衿から少し出ている懐紙を手で水平方向に取り出すこととなると考えられる。そこで、このような作法に則った動作と同様の動作を行うことができるようにするためには、本実施例のような、ポケットの下側縁が開口端部から水平に設けられる構成が望ましい。
【００６４】
（ポケットの下側縁が開口端部から斜め下方に設けられる構成）
本実施例の上衣におけるポケットの下側縁のもう一つの構成は、開口端部から斜め下方向に設けられるものである。前出の図１に示したものはかかる例である。この場合、ポケットの下側縁０１５２は、開口端部から斜め下方に設けられる。この場合、ポケットの左右の側縁部０１５１は、斜め下方向に向かう平行線状に形成されることとなる。このため、前身頃端部の方向に沿って縦方向に形成される開口端部は、上述の左右の側縁部が形成する平行線を斜めに横切る方向となる。ここで、ポケットの袋状部分に収納物を取り出して使用する状態の大きさのまま収納しておくことができるようにするためには、左右の側縁部間の距離Ｍ、即ちポケットの横幅において収納物を収納できるだけの寸法が確保されていなければならないことから、開口の長さＮはそれよりも長いものとなる。
【００６５】
図７は、本実施例におけるポケットの開口の長さの一例を示す図である。本図の例は、図２に示したのと同様の位置、形状、寸法を有するポケットの例であり、図２のポケット及びその周辺の前身頃部分を拡大して示したものである。本図のポケット０７６０は、斜め下方向に向かう左右の側縁部が形成する線０７６２の角度θが垂直方向に対し約４５度であり、左右の側縁部間の距離、即ちポケットの横幅ｌは約１３ｃｍである。この場合、開口の長さｈは約１７ｃｍとなる。
【００６６】
ポケットの下側縁が開口端部から斜め下方に設けられるように構成する目的は、ポケットから物を取り出す際の動作を、着物を着用して行う動作に近いものとすることを可能にするという本考案の目的をより柔軟にきめ細かく実現することにある。この点、着物の懐に物を収納する際には、着物の衿が通例体央の縦方向に対して斜めに形成されていることから、衿の線に対してほぼ垂直に、即ち、体央の縦方向に対して斜め下方向に物を収納し、これを斜め上方向に引き出す形で取り出す方が取り出しやすいといった場合も考えられる。そこで、本考案に係る上衣のポケットを、下側縁０７６２が開口端部から斜め下方に設けられたものとすれば、ポケットの袋状部分が斜め下方向に向かうこととなるため、ポケットから物を取り出す際の動作は、着物の場合における上の場合と同様に斜め上方向に取り出す形となり、ポケットから物を取り出す際の動作を、着物を着用して行う本来の動作に近いものとすることをより柔軟にきめ細かく実現することができる。
【００６７】
＜効果＞
本実施例の考案によれば、ポケットの下側縁が開口端部から斜め下方に設けられるように構成することで、ポケットから物を取り出す際の動作を、着物を着用して行う本来の動作に近いものとすることをより柔軟にきめ細かく実現することができる。
【図１】
0003222676.tif 000003
【図２】
0003222676.tif 000004
【図３】
0003222676.tif 000005
【図４】
0003222676.tif 000006
【図５】
0003222676.tif 000007
【図６】
0003222676.tif 000008
【図７】
0003222676.tif 000009
【図８】
0003222676.tif 000010